【手続補正書】
【提出日】平成24年12月18日(2012.12.18)
【手続補正１】
【補正対象書類名】明細書
【補正対象項目名】発明の名称
【補正方法】変更
【補正の内容】
【発明の名称】インクジェット記録装置、インクジェット記録方法およびプログラム
【手続補正２】
【補正対象書類名】明細書
【補正対象項目名】０００１
【補正方法】変更
【補正の内容】
【０００１】
本発明は、複数の異なるインク毎にノズル列を備えた記録ヘッドを用いて、記録媒体上の所定の記録領域に対して、記録ヘッドの複数回の走査によって画像を記録するためのインクジェット記録装置、インクジェット記録方法及びプログラムに関するものである。
【手続補正３】
【補正対象書類名】明細書
【補正対象項目名】００１２
【補正方法】変更
【補正の内容】
【００１２】
本発明の目的は、画像表面の光沢を向上させつつ、高品位の画像を記録することができるインクジェット記録装置、インクジェット記録方法およびプログラムを提供することにある。
【手続補正４】
【補正対象書類名】明細書
【補正対象項目名】００１３
【補正方法】変更
【補正の内容】
【００１３】
本発明のインクジェット記録装置は、インクを吐出可能な複数のノズルが所定方向に沿って配列された複数のノズル列を複数色のインク毎に備えた記録ヘッドの、記録媒体上の所定領域に対する前記所定方向と交差する主走査方向への複数回の走査と、前記所定方向への前記記録媒体の搬送と、を行うことにより前記記録媒体に画像を記録するインクジェット記録装置であって、第１のマスクパターンと、隣に記録許容画素が存在する記録許容画素の数が前記第１のマスクパターンよりも少ない第２のマスクパターンと、を含むマスクパターン群を用いて、前記所定領域に記録すべき画像データから前記複数回の走査の各々で記録すべきデータを生成するデータ生成手段を有し、前記データ生成手段は、前記所定領域に対する前記複数回の走査のうち最終走査で記録すべき画像データを前記第１のマスクパターンを用いて生成し、前記複数回の走査のうち前記最終走査以外の少なくとも１回の走査で記録すべき画像データを前記第２のマスクパターンを用いて生成することを特徴とする。
【手続補正５】
【補正対象書類名】特許請求の範囲
【補正対象項目名】全文
【補正方法】変更
【補正の内容】
【特許請求の範囲】
【請求項１】
インクを吐出可能な複数のノズルが所定方向に沿って配列された複数のノズル列を複数色のインク毎に備えた記録ヘッドの、記録媒体上の所定領域に対する前記所定方向と交差する主走査方向への複数回の走査と、前記所定方向への前記記録媒体の搬送と、を行うことにより前記記録媒体に画像を記録するインクジェット記録装置であって、
第１のマスクパターンと、隣に記録許容画素が存在する記録許容画素の数が前記第１のマスクパターンよりも少ない第２のマスクパターンと、を含むマスクパターン群を用いて、前記所定領域に記録すべき画像データから前記複数回の走査の各々で記録すべきデータを生成するデータ生成手段を有し、
前記データ生成手段は、前記所定領域に対する前記複数回の走査のうち最終走査で記録すべき画像データを前記第１のマスクパターンを用いて生成し、前記複数回の走査のうち前記最終走査以外の少なくとも１回の走査で記録すべき画像データを前記第２のマスクパターンを用いて生成する
ことを特徴とするインクジェット記録装置。
【請求項２】
前記複数色のインクは、第１のインクと、前記第１のインクよりも色材濃度の低い第２のインクを含み、
前記第２のインクを用いて記録するためのデータを前記第１のマスクパターンを用いて生成し、前記第１のインクを用いて記録するためのデータを前記第２のマスクパターンを用いて生成することを特徴とする請求項１に記載のインクジェット記録装置。
【請求項３】
前記複数のノズル列は前記主走査方向に並ぶように配列され、
前記第１のインクに対応するノズル列において前記第１のインクを吐出するノズルの範囲を、前記第２のインクに対応するノズル列において前記第２のインクを吐出するノズルの範囲よりも、前記所定方向における前記記録媒体の搬送方向の下流側に位置する範囲に制限することを特徴とする請求項２に記載のインクジェット記録装置。
【請求項４】
前記複数色のインクは、シアンインク、マゼンタインク、イエローインク、ブラックインクを含み、前記イエローインクで記録するためのデータを前記第１のマスクパターンを用いて生成し、前記シアンインク、マゼンタインク、ブラックインクのうち少なくとも１色のインクで記録するためのデータを前記第２のマスクパターンを用いて生成することを特徴とする請求項１に記載のインクジェット記録装置。
【請求項５】
前記複数のノズル列は前記主走査方向に並ぶように配列され、
前記イエローインクに対応するノズル列において前記イエローインクを吐出する範囲を、前記シアンインク、マゼンタインク、ブラックインクのインクに対応する各ノズル列において前記シアンインク、マゼンタインク、ブラックインクを吐出する範囲よりも、前記所定方向における前記記録媒体の搬送方向の下流側に位置する範囲に制限することを特徴とする請求項４に記載のインクジェット記録装置。
【請求項６】
インクを吐出可能な複数のノズルが所定方向に沿って配列された複数のノズル列を複数色のインク毎に備えた記録ヘッドを、前記所定方向と交差する主走査方向に複数回走査させることにより記録媒体上の所定領域に画像を記録するインクジェット記録方法において、
第１のマスクパターンと、隣に記録許容画素が存在する記録許容画素の数が前記第１のマスクパターンよりも少ない第２のマスクパターンと、を含むマスクパターン群を用いて、前記所定領域に記録すべき画像データから前記複数回の走査の各々で記録すべきデータを生成するデータ生成工程を備え、
前記データ生成工程は、前記所定領域に対する前記複数回の走査のうち最終走査で記録すべき画像データを前記第１のマスクパターンを用いて生成し、前記複数回の走査のうち前記最終走査以外の少なくとも１回の走査で記録すべき画像データを前記第２のマスクパターンを用いて生成する
ことを特徴とするインクジェット記録方法。
【請求項７】
前記複数色のインクは、第１のインクと、前記第１のインクよりも色材濃度の低い第２のインクを含み、
前記第２のインクを用いて記録するためのデータを前記第１のマスクパターンを用いて生成し、前記第１のインクを用いて記録するためのデータを前記第２のマスクパターンを用いて生成することを特徴とする請求項６に記載のインクジェット記録方法。
【請求項８】
前記複数のノズル列は前記主走査方向に並ぶように配列され、
前記第１のインクに対応するノズル列において前記第１のインクを吐出するノズルの範囲を、前記第２のインクに対応するノズル列において前記第２のインクを吐出するノズルの範囲よりも、前記所定方向における前記記録媒体の搬送方向の下流側に位置する範囲に制限することを特徴とする請求項７に記載のインクジェット記録方法。
【請求項９】
前記複数色のインクは、シアンインク、マゼンタインク、イエローインク、ブラックインクを含み、前記イエローインクで記録するためのデータを前記第１のマスクパターンを用いて生成し、前記シアンインク、マゼンタインク、ブラックインクのうち少なくとも１色のインクで記録するためのデータを前記第２のマスクパターンを用いて生成することを特徴とする請求項６に記載のインクジェット記録方法。
【請求項１０】
前記複数のノズル列は前記主走査方向に並ぶように配列され、
前記イエローインクに対応するノズル列において前記イエローインクを吐出する範囲を、前記シアンインク、マゼンタインク、ブラックインクのインクに対応する各ノズル列において前記シアンインク、マゼンタインク、ブラックインクを吐出する範囲よりも、前記所定方向における前記記録媒体の搬送方向の下流側に位置する範囲に制限することを特徴とする請求項９に記載のインクジェット記録方法。
【請求項１１】
請求項６から１０のいずれかに記載のインクジェット記録方法をコンピュータに実行させるためのプログラム。